(57)【要約】【課題】本発明は、高分子分散型液晶が赤外線を遮断することができないという課題を解決することにある。【解決手段】本発明は、液晶調光層と、第一耐赤外線透光導電層と、第二耐赤外線透光導電層と、第一透光基板と、第二透光基板とを包括し、前記液晶調光層は複数の液晶を包含し、前記第一耐赤外線透光導電層及び前記第二耐赤外線透光導電層は材質にニクロム合金を包含して前記液晶調光層の両側にそれぞれ設置し、前記第一透光基板及び前記第二透光基板は前記液晶調光層から離れた前記第一耐赤外線透光導電層の一方及び前記液晶調光層から離れた前記第二耐赤外線透光導電層の一方にそれぞれ設置し、前記第一耐赤外線透光導電層と前記第二耐赤外線透光導電層に対して通電を行うことで、前記液晶調光層は外加電場を発生し、これ等液晶は前記外加電場に合わせて配向され、前記液晶調光層の透光度をさらに変化させる、高分子分散型液晶調光構成を提供している。【選択図】図１Ｂ
2017037115.tif 000002
【特許請求の範囲】
【請求項１】
複数の液晶を含む液晶調変層と、
材質にニクロム合金を包含して前記液晶調光層の両側にそれぞれ設置する第一耐赤外線透光導電層及び第二耐赤外線透光導電層と、
前記液晶調光層から離れた前記第一耐赤外線透光導電層の一方及び前記液晶調光層から離れた前記第二耐赤外線透光導電層の一方にそれぞれ設置する第一透光基板及び第二透光基板と、を包括し、
前記第一耐赤外線透光導電層と前記第二耐赤外線透光導電層に対して通電を行うことで、前記液晶調光層は外加電場を発生し、これ等液晶は前記外加電場に合わせて配向され、前記液晶調光層の透光度をさらに変化させることを特徴とする高分子分散型液晶調光構成。
【請求項２】
前記第一耐赤外線透光導電層と前記第一透光基板との間に設置する第一抗酸化保護層と、前記第二耐赤外線透光導電層と前記第二透光基板との間に設置する第二抗酸化保護層とをさらに包括することを特徴とする請求項１に記載の高分子分散型液晶調光構成。
【請求項３】
前記第一抗酸化保護層及び前記第二抗酸化保護層は、材料に二酸化チタンが含まれることを特徴とする請求項２に記載の高分子分散型液晶調光構成。
【請求項４】
前記第一耐赤外線透光導電層及び前記第二耐赤外線透光導電層の材料は、酸化したニクロム合金であることを特徴とする請求項１に記載の高分子分散型液晶調光構成。
【請求項５】
前記液晶調光層から離れた前記第一透光基板の一方に設置する耐紫外線層をさらに包括することを特徴とする請求項1に記載の高分子分散型液晶調光構成。
【請求項６】
前記第一透光基板から離れた前記耐紫外線層の一方に設置する剥離層をさらに包括することを特徴とする請求項５に記載の高分子分散型液晶調光構成。
【請求項７】
前記第一透光基板及び前記第二透光基板は、ポリエチレンテレフタラート、ポリエチレンナフタレート、ガラス、ポリイミド、ポリシクロオレフィンポリマー、環状オレフィン共重合体及びこれ等の組合せから成る化合物のいずれかとすることを特徴とする請求項１に記載の高分子分散型液晶調光構成。
【請求項８】
前記第一透光基板及び前記第二透光基板の材料は、厚さ０．３ミリメートル以下のガラスであることを特徴とする請求項７に記載の高分子分散型液晶調光構成。
【発明の詳細な説明】
【技術分野】
【０００１】
本発明は調光構成に関するものであり、特に高分子分散液晶調光構成について述べたものである。
【背景技術】
【０００２】
科学の日進月歩により、過度の光線が室内に入射しないよう防ぐため、現在のガラス表面には断熱シートが設けられているか、もしくは、高分子分散型液晶（Ｐｏｌｙｍｅｒ−ｄｉｓｐｅｒｓｅｄ  ｌｉｑｕｉｄ  ｃｒｙｓｔａｌｓ，ＰＤＬＣ）や、低放射ガラス（Ｌｏｗ−Ｅ  ｇｌａｓｓ）、エレクトロクロミックガラス等に置き換えられているが、上述の四者にはそれぞれ長所と短所があり、中でも、高分子分散液晶とエレクトロクロミックガラスとは、完全に光線を遮蔽して透光度の切り替えを行うことで、使用者の建築用ガラスに対するニーズを満たしており、且つ高分子分散分散型液晶層は、反応速度と製造コストとの面でエレクトロクロミックガラスより優れているため、建築用ガラスとして大量に応用される機会がある。
【０００３】
よく見る高分子分散液晶構成として、例えば、特許文献１のような「Ｌｉｇｈｔ−ｒｅｇｕｌａｔｉｏｎ  ｍｅｍｂｒａｎｅ」は、高分子分散型液晶層と、前記高分子分散液晶の一方に設置する表面構成層と、前記表面構成から離れた前記高分子分散型液晶層のもう一方に設置する粘着層とを包括し、そのうち、前記高分子分散型液晶層は、液晶層と、前記液晶層の両側にそれぞれ設置する二つの導電層と、前記液晶層から離れたこれ等導電層の一方にそれぞれ設置する二つの第一高分子化合物層と、前記液晶層から離れたこれ等第一高分子化合物層の一方にそれぞれ設置する二つの感圧粘着層と、前記液晶層から離れたこれ等圧粘着層の一方にそれぞれ設置する二つの第二高分子化合物層とを包含している。前記感圧接着層を利用して透明なガラスの上に接着し、さらにこれ等導電層に通電を行うことで、前記液晶層に外加電場を形成し、且つその中の液晶を配向することで、透過する光の量を制御することができる。
【０００４】
しかしながら、前記高分子分散型液晶層は、室内に入射する可視光量を調整することができるが、室内の温度を上昇させる赤外線を防ぐことはできず、使用者が大量の光を室内に取り入れたい場合、室内の温度が上昇してしまい、冷房装置等を使用して温度を下げることになり、エネルギーの浪費につながるため、どのようにして、光量を調節すると同時に赤外線も遮断するかが当該業者間の課題となっている。
【先行技術文献】
【特許文献】
【０００５】
【特許文献１】アメリカ特許公開第ＵＳ２０１１０２５５０３５号
【発明の概要】
【発明が解決しようとする課題】
【０００６】
本発明の主要目的は、高分子分散型液晶が赤外線を遮断することができないという課題を解決することにある。
【課題を解決するための手段】
【０００７】
上述の目的を達成するため、本発明は、液晶調光層と、第一耐赤外線透光導電層と、第二耐赤外線透光導電層と、第一透光基板と、第二透光基板とを包括し、前記液晶調光層は複数の液晶を包含し、前記第一耐赤外線透光導電層及び前記第二耐赤外線透光導電層は材質にニクロム合金を包含して前記液晶調光層の両側にそれぞれ設置し、前記第一透光基板及び前記第二透光基板は前記液晶調光層から離れた前記第一耐赤外線透光導電層の一方及び前記液晶調光層から離れた前記第二耐赤外線透光導電層の一方にそれぞれ設置し、前記第一耐赤外線透光導電層と前記第二耐赤外線透光導電層に対して通電を行うことで、前記液晶調光層は外加電場を発生し、これ等液晶は前記外加電場に合わせて配向され、前記液晶調光層の透光度をさらに変化させる、高分子分散型液晶調光構成を提供している。
【発明の効果】
【０００８】
上述より、本発明は以下に示す特徴を有する。
第一に、前記第一耐赤外線透光導電層及び前記第二耐赤外線透光導電層を設置することで、導電と同時に赤外線を遮断することができ、尚且つ二つの機能を一つの層に併せ持つことから層の数を低減することで、コストと構成の厚さとを減らすことができる。
第二に、前記第一耐赤外線透光導電層及び前記第二耐赤外線透光導電層を設置することで、赤外線の入射を遮ることから、熱エネルギーの発生を低減することができる。
【図面の簡単な説明】
【０００９】
【図１Ａ】通電前の本発明に係る第一実施例を示す模式図である。
【図１Ｂ】通電後の本発明に係る第一実施例を示す模式図である。
【図２】本発明に係る第一実施例の使用を示した模式図である。
【図３】本発明に係る第二実施例の使用を示した模式図である。
【発明を実施するための形態】
【００１０】
本発明に係る詳細な説明及び技術内容について、図面を参照しつつ、以下において説明する。
【００１１】
図１Ａ及び図１Ｂを参照すると、本発明は、液晶調光層１０と、第一耐赤外線透光導電層２１と第二耐赤外線透光導電層２２と、第一透光基板３１及び第二透光基板３２を包括し、前記液晶調光層１０は複数の液晶１１を包含し、前記第一耐赤外線透光導電層２１及び前記第二耐赤外線透光導電層２２は前記液晶調光層１０の両側にそれぞれ設置し、前記第一透光基板３１及び第二透光基板３２は前記液晶調光層１０から離れた前記第一耐赤外線透光導電層２１の一方及び前記液晶調光層１０から離れた前記第二耐赤外線透光導電層２２の一方にそれぞれ設置している。そのうち、前記第一耐赤外線透光導電層２１及び前記第二耐赤外線透光導電層２２は、材料をニクロム合金或いは酸化したニクロム合金とすることで、赤外線の入射を遮ることから、熱エネルギーの発生を低減し、且つ前記ニクロム合金の酸化程度を調整することで、本発明に係る高分子分散液晶調光構成の色温度と、前記第一耐赤外線透光導電層２１及び前記第二耐赤外線透光導電層２２の耐赤外線の程度を調節することができ、また、本発明に係る色温度を調節することにより、使用者の異なる要望に合わせ、顧客に応じた設計が可能となる。
【００１２】
例えば、ビルにフランス窓や、車両の天窓及び一般の窓に取り付けるとすると、それぞれ異なる遮光程度及び色温度を必要とするため、本発明に係るニクロム合金の酸化程度の調節を利用することにより、それぞれの要求を満たすことができる。
また、前記第一耐赤外線透光導電層２１及び前記第二耐赤外線透光導電層２２は、導電及び耐赤外線の機能を同時に有することから、生産コスト及び本発明の厚さを低減することができる。
【００１３】
前記第一透光基板３１と前記第二透光基板３２とは、ポリエチレンテレフタラート、ポリエチレンナフタレート、ガラス、ポリイミド、ポリシクロオレフィンポリマー、環状オレフィン共重合体及びこれ等の組合せから成る化合物のいずれかとし、本実施例では、前記第一透光基板３１及び前記第二透光基板３２の材料は、厚さ０．３ミリメートル（ｍｍ）以下のガラスであって、フレキシブルなため、ロールツーロール方式で生産が可能であることから、生産コストを低減する上、生産量を向上させることができる。
【００１４】
また、本発明は、第一抗酸化保護層４１と、第二抗酸化保護層４２と、耐紫外線層５０と、粘着層８０と、剥離層６０とをさらに包括し、前記第一抗酸化保護層４１は前記第一耐赤外線透光導電層２１と前記第一透光基板３１との間に設置し、前記第二抗酸化保護層４２は前記第二耐赤外線透光導電層２２と前記第二透光基板３２との間に設置し、且つ本実施例において、前記第一抗酸化保護層４１と前記第二抗酸化保護層４２との材料は、二酸化チタンを含み、酸素や水素が前記液晶調光層１０に対してダメージを与えることを防ぐことで、前記液晶調光層１０の耐用年数を伸ばすことができ、また、前記耐紫外線層５０は前記液晶調光層１０から離れた前記第一透光基板３１の一方に設置することで、人体の細胞を病変させる紫外線の入射を防ぐ上、前記液晶調光層１０が紫外線の長期的な照射によって剥離するという不具合を防ぐことができ、前記粘着層８０及び前記剥離層６０は前記第一透光基板３１から離れた前記耐紫外線層５０の一方に順次設置し、前記剥離層６０を剥離すると、前記粘着層８０を利用して対応する基材に貼り付けることができる。
【００１５】
前記第一耐赤外線透光導電層２１と前記第二耐赤外線透光導電層２２とが通電していない場合、これ等液晶１１は、任意の方向に向いて配列されるため、入射光は外部に反射され、前記液晶調光層１０の透光度を低下させており、逆に、前記第一耐赤外線透光導電層２１と前記第二耐赤外線透光導電層２２とが通電している場合、前記液晶調光層１０は、外加電場を発生し、これ等液晶１１は外加電場に合わせて配向され、特定の方向に向かって配列する上、前記液晶調光層１０の透光度を向上し、尚且つ異なる電圧を入力することにより、これ等液晶１１の配向の角度を調整し、透光度の調整を行っている。本実施例では、これ等液晶１１を順方向配向型液晶として例示しているが、これに限定するものではない。逆方向配向型液晶を前記液晶調光層１０に用いることもでき、この際、順方向配向型液晶とは反対に、通電している場合、前記液晶調光層１０の透光度は低下し、通電していない場合、前記液晶調光層１０の透光度は向上している。
【００１６】
さらに図２を参照すると、前記剥離層６０を剥離した後、前記粘着層８０を利用して本発明を建築物上にあるガラス７０、或いはその他の採光の調節が必要な箇所に貼り付けることで、前記液晶調光層１０により透光度を制御し、前記第一耐赤外線透光導電層２１及び前記第二耐赤外線透光導電層２２を利用して赤外線を遮断し、さらに、前記耐紫外線層５０を利用して紫外線の入射を防いでいる。
【００１７】
さらにまた図３を参照すると、本発明に係る第二実施例の使用を示した模式図であって、本実施例において、前記第一透光基板３１は、建築物或いは車両に応用するガラス７０であるため、剥離層６０をさらに設置して貼り付けを行う必要はない。使用者は、異なる使用状況に応じて、最適な実施方法を選択して取り付け及びその使用を考慮することができる。  
【００１８】
上述したことから、本発明は以下の特徴を有するものである。
第一に、前記第一耐赤外線透光導電層及び前記第二耐赤外線透光導電層は、赤外線の入射を防ぐことで、熱エネルギーの発生を低減している。
第二に、前記第一耐赤外線透光導電層及び前記第二耐赤外線透光導電層は、導電及び耐赤外線の機能を同時に有することから、生産コスト及び構成全体の厚さを低減することができる。
第三に、ニクロム合金の酸化程度を調整することで、本発明に係る調光構成の色温度及び前記第一耐赤外線透光導電層と前記第二耐赤外線透光導電層との耐赤外線の程度を調整することができる。
第四に、前記第一透光基板及び前記第二透光基板の厚さは、０．３ミリメートル（ｍｍ）以下でフレキシブルなため、ロールツーロール方式で生産が可能であることから、生産コストを低減する上、生産量を向上させることができる。
第五に、前記第一抗酸化保護層及び前記第二抗酸化保護層は、酸素や水素が前記液晶調光層１０に対してダメージを与えることを防ぐことで、前記液晶調光層１０の耐用年数を伸ばすことができ、尚且つ二酸化チタンを前記第一抗酸化保護層及び前記第二抗酸化保護層に利用することで、本発明の耐紫外線能力を向上させることができる。
第六に、前記耐紫外線層は、人体の細胞を病変させる紫外線の入射を防ぐ上、前記液晶調光層１０が紫外線の長期的な照射によって剥離して使用不可能にしているという不具合を防ぐことができる。
【００１９】
なお、上述した本発明に係る詳細な説明は、本発明の好ましい実施例に過ぎず、本発明が請求する範囲を限定するものではない。本発明が請求する範囲に基づいて行われた変更及び修正等は、本発明に係る請求の範囲に属するものである。
【符号の説明】
【００２０】
１０    液晶調光層
１１    液晶
２１    第一耐赤外線透光導電層
２２    第二耐赤外線透光導電層
３１    第一透光基板
３２    第二透光基板
４１    第一抗酸化保護層
４２    第二抗酸化保護層
５０    耐紫外線層
６０    剥離層
７０    ガラス
８０    粘着層 
【図１Ａ】
2017037115.tif 000003
【図１Ｂ】
2017037115.tif 000004
【図２】
2017037115.tif 000005
【図３】
2017037115.tif 000006
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
複数の液晶を含む液晶調光層と、
材質に酸化したニクロム合金を包含して前記液晶調光層の両側にそれぞれ設置する第一耐赤外線透光導電層及び第二耐赤外線透光導電層と、
前記液晶調光層から離れた前記第一耐赤外線透光導電層の一方及び前記液晶調光層から離れた前記第二耐赤外線透光導電層の一方にそれぞれ設置する第一透光基板及び第二透光基板と、
を包括し、
前記第一耐赤外線透光導電層と前記第二耐赤外線透光導電層に対して通電を行うことで、前記液晶調光層は外加電場を発生し、これ等液晶は前記外加電場に合わせて配向され、前記液晶調光層の透光度をさらに変化させることを特徴とする高分子分散型液晶調光構成。
【請求項２】
前記第一耐赤外線透光導電層と前記第一透光基板との間に設置する第一抗酸化保護層と、前記第二耐赤外線透光導電層と前記第二透光基板との間に設置する第二抗酸化保護層とをさらに包括することを特徴とする請求項１に記載の高分子分散型液晶調光構成。
【請求項３】
前記第一抗酸化保護層及び前記第二抗酸化保護層は、材料に二酸化チタンが含まれることを特徴とする請求項２に記載の高分子分散型液晶調光構成。
【請求項４】
前記液晶調光層から離れた前記第一透光基板の一方に設置する耐紫外線層をさらに包括することを特徴とする請求項1に記載の高分子分散型液晶調光構成。
【請求項５】
前記第一透光基板から離れた前記耐紫外線層の一方に設置する剥離層をさらに包括することを特徴とする請求項４に記載の高分子分散型液晶調光構成。
【請求項６】
前記第一透光基板及び前記第二透光基板は、ポリエチレンテレフタラート、ポリエチレンナフタレート、ガラス、ポリイミド、ポリシクロオレフィンポリマー、環状オレフィン共重合体及びこれ等の組合せから成る化合物のいずれかとすることを特徴とする請求項１に記載の高分子分散型液晶調光構成。
【請求項７】
前記第一透光基板及び前記第二透光基板の材料は、厚さ０．３ミリメートル以下のガラスであることを特徴とする請求項６に記載の高分子分散型液晶調光構成。